(57)【要約】【課題】簡便かつ生物処理に悪影響のでにくいスケール析出防止方法および水処理設備を提供する。【解決手段】スケール成分を含有する被処理水を生物処理する水処理槽１を備え、水処理槽１内で被処理水を好気処理するための水処理用担体２１とは別に、水処理槽１または水処理槽１入口部側で、被処理水が接触したときに、そのスケール成分を析出させて付着除去するスケール付着材３１を備え、スケール付着材３１に被処理水を接触させるスケール析出促進処理を行う。【選択図】図１
2014140820.tif 000002
【特許請求の範囲】
【請求項１】
スケール成分を含有する被処理水を生物処理する水処理槽を備えた水処理設備におけるスケール析出防止方法であって、
前記水処理槽内で前記被処理水を好気処理するための水処理用担体とは別に、前記水処理槽または前記水処理槽の入口部側で、前記被処理水が接触したときに、そのスケール成分を析出させて付着除去するスケール付着材を備え、前記スケール付着材に前記被処理水を接触させるスケール析出促進処理を行うスケール析出防止方法。
【請求項２】
被処理水中の有機成分を好気的に分解して被処理水のｐＨを中性に近づける好気処理を行う微生物を、前記水処理槽内で育成する請求項１に記載のスケール析出防止方法。
【請求項３】
前記スケール付着材として、被処理水中に生成するスケール成分と逆の電荷に帯電する物質を主材とするものを選択する請求項１または２に記載のスケール析出防止方法。
【請求項４】
スケール成分を含有する被処理水を生物処理する水処理槽を備えた水処理設備であって、
前記水処理槽内で前記被処理水を好気処理するための水処理用担体とは別に、前記被処理水が接触したときに、そのスケール成分を析出させて付着除去するスケール付着材を備え、前記スケール付着材に前記被処理水を接触させるスケール析出促進部を、前記水処理槽もしくは前記水処理槽の入口部側に設けた水処理設備。
【請求項５】
前記水処理設備に対して前記スケール付着材が挿脱可能に設けられている請求項４に記載の水処理設備。
【請求項６】
前記水処理槽が、被処理水を受け入れる水処理槽本体を備え、
前記水処理槽本体の内部に、水処理用担体およびスケール析出促進部を形成する前記スケール付着材を設けてあるとともに、前記水処理用担体および前記スケール析出促進部に曝気する曝気装置を設けてある請求項４または５に記載の水処理設備。
【請求項７】
前記水処理槽に前記水処理用担体を保持する保持部を複数設けるとともに、前記保持部どうしの間に前記スケール付着材を挿脱自在にするスケール付着材収容部を設けてある請求項４〜６のいずれか一項に記載の水処理設備。
【請求項８】
前記水処理槽が、被処理水を受け入れる水処理槽本体を備え、前記水処理槽本体に被処理水を供給する供給路にスケール析出促進部を設けてある請求項４〜７のいずれか一項に記載の水処理設備。
【請求項９】
前記スケール付着材が、粒状、球状、板状、繊維状、布状、袋状のいずれかに成形されている請求項４〜８のいずれか一項に記載の水処理設備。
【請求項１０】
前記スケール付着材が、酸化アルミニウム、二酸化ケイ素、酸化鉄、酸化チタン、酸化亜鉛、酸化スズ、酸化クロム、酸化ニッケル、酸化コバルト、炭酸カルシウム、硫酸カルシウム、リン酸カルシウムから選ばれる少なくとも一種を主成分とする請求項４〜９のいずれか一項に記載の水処理設備。
【請求項１１】
前記スケール成分が、リン酸カルシウムを主成分とするものであり、前記スケール付着材が酸化アルミニウムである請求項１０に記載の水処理設備。
【請求項１２】
前記スケール成分が、炭酸カルシウムを主成分とするものであり、前記スケール付着材が二酸化ケイ素である請求項１０に記載の水処理設備。
【発明の詳細な説明】
【技術分野】
【０００１】
本発明は、スケール成分を含有する被処理水を生物処理する水処理槽を備えた水処理設備におけるスケール析出防止方法およびスケール析出防止方法を利用した水処理設備に関する。
【背景技術】
【０００２】
排水処理設備において、カルシウム塩を多く含む排水では、それらがスケールとなって設備や配管に固着し、その結果、配管や設備の詰まりの原因となることがある。
特に、石けん製造業排水など、カルシウム分を多く含む排水を処理するような場合、その排水中のカルシウム分が配管等に付着することが問題になりやすい。
【０００３】
また、このような排水は、生物処理によって、中性付近まで分解処理され、環境負荷を低下させた後、外部に放流する処理が行われる。このような処理に際して、微生物を保持するために固定床式の水処理用担体がしばしば用いられる。通常、水処理用担体の材質は表面が不活性なポリプロピレンなどの高分子材料が用いられるため、スケールは付着しにくいとされているが、長期的な運用において、スケールが物理的に付着して固定化することが知られている。
【０００４】
このような水処理設備において、スケールの析出しやすさは被処理水のｐＨに依存するため、ｐＨ調整剤を前記水処理設備中の被処理水に添加してスケールの発生を抑制する技術が考えられている。（たとえば特許文献１）
【０００５】
すなわち、前記水処理用担体に、スケールが付着されると、その担体上で微生物の育成が十分に行えなくなり、排水の処理能力が低下するため、水処理槽内をスケールが付着しにくい環境に維持することが有効であると考えられる。たとえばリン酸カルシウムの場合では、酸性下においては排水中に溶解しているが、生物処理などによって排水のpHが中性付近になると、リン酸カルシウムに起因する沈殿物が生成する。
【先行技術文献】
【特許文献】
【０００６】
【特許文献１】特開２００６−１６７５４９号公報
【発明の概要】
【発明が解決しようとする課題】
【０００７】
しかし、上述のｐＨ調整剤は、生物処理を行う微生物に対して育成環境を変動させてしまうなど、悪影響を及ぼすおそれがあることや、継続的に用いる場合のランニングコストが高価であることなどが問題となって、あまり実用的とは言えなかった。
【０００８】
そこで、本発明の目的は、簡便かつ生物処理に悪影響のでにくいスケール析出防止方法および水処理設備を提供する点にある。
【課題を解決するための手段】
【０００９】
〔構成１〕
上記目的を達成するための本発明のスケール析出防止方法の特徴構成は、スケール成分を含有する被処理水を生物処理する水処理槽を備えた水処理設備におけるスケール析出防止方法であって、
前記水処理槽内で前記被処理水を好気処理するための水処理用担体とは別に、前記水処理槽または前記水処理槽入口部側で、前記被処理水が接触したときに、そのスケール成分を析出させて付着除去するスケール付着材を備え、前記スケール付着材に前記被処理水を接触させるスケール析出促進処理を行う点にある。
【００１０】
〔作用効果１〕
本発明者によると、スケールの付着する環境下では、スケール付着対象の部材表面のゼータ電位が、そのスケールを構成する物質のゼータ電位と同符号になっていることに加えて、そのスケールの付着条件は、スケールの付着する環境下における温度、ｐＨが関与していることが明らかになっている。このような現象を用いて、被処理水中のスケールが析出しにくくなる条件を見出すとともに、その条件を利用してスケールの析出を防止する技術が提案されている。（特開２０１１−１６３６２３号公報参照）
【００１１】
しかし、スケール付着対象の部材として水処理用担体を想定した場合に、水処理用担体を構成する物質は、先述のように樹脂材料であり、直接的にゼータ電位に基づくスケール付着防止を抑制する技術は適用できない。そこで、前記水処理用担体とは別に、前記被処理水が接触したときに、そのスケール成分を析出させて付着除去するスケール付着材を備えることにより、被処理水中のスケールを積極的にスケール付着材に析出させることができる。すると、従来、前記水処理用担体に析出していたスケールは、前記スケール付着材上に優先的に析出するために、水処理用担体に接触する被処理水中のスケール成分を減少させる効果を発揮し、前記水処理用担体上に析出するスケールの量を減少させることができる。なお、このスケール付着材は、前記水処理槽もしくは前記水処理槽入口部側いずれであっても、水処理用担体に接触する被処理水中のスケール成分を減少させる効果を発揮し、前記水処理用担体に析出するスケール量を減少させるのに寄与する。
【００１２】
したがって、前記スケール付着材に前記被処理水を接触させるスケール析出促進処理を行うことにより、水処理用担体に析出するスケールを減少することができ、水処理槽内における水処理環境を大きく変えることなく、微生物が効率よく水処理できる環境を長期にわたって維持することができ、水質の浄化に寄与できるようになった。
【００１３】
なお、スケール付着材としては、きわめて安価な材料を選択することができ、長期使用に伴ってスケールが蓄積した場合に、交換除去できるものとすることで、ランニングコストを低く抑えることができる。また、安価でなくとも容易にスケールを剥離除去できるような材質のものであれば容易に保守管理できることになるので同様にランニングコストを低く抑えることができる。
【００１４】
〔構成２〕
なお、被処理水中の有機成分を好気的に分解して被処理水のｐＨを中性に近づける好気処理を行う微生物を、前記水処理槽内で育成できる。
【００１５】
〔作用効果２〕
たとえば、被処理水が、石けん製造排水のようにリン酸カルシウムを含有している場合、リン酸カルシウムが分解されて被処理水のｐＨが中性に近づくことが知られている。すなわち、被処理水中のｐＨを酸性またはアルカリ性に偏らせる成分が生物処理により分解されると、被処理水のｐＨは中性に近くなる。
【００１６】
スケール成分は主に金属酸化物であるため、被処理水のｐＨが酸性またはアルカリ性に偏っている場合に溶解度が高く析出しにくい。それに対して生物処理により被処理水のｐＨが中性に近づくような環境下では、被処理水の生物処理が進行するにしたがって、スケールが析出しやすくなる。そこで、特に、被処理水中の有機成分を好気的に分解して被処理水のｐＨを中性に近づける好気処理を行う微生物を、前記水処理槽内で育成する条件下で、上記スケール析出促進処理を行えば、効果的に水処理用担体にスケールが析出するのを抑制できることになる。
【００１７】
〔構成３〕
また、前記スケール付着材として、被処理水中に生成するスケール成分と逆の電荷に帯電する物質を主材とするものを選択できる。
【００１８】
〔作用効果３〕
上記構成によると、前記スケール付着材として、被処理水中に生成するスケール成分と逆の電荷に帯電する物質を主材とするものを選択することによって、前記スケール成分の前記スケール付着材に対する親和性を高めることができ、効率よくスケール付着材に優先的にスケールを析出させることができる。
【００１９】
〔構成４〕
また、本発明の水処理設備の特徴構成は、
スケール成分を含有する被処理水を生物処理する水処理槽を備えた水処理設備であって、
前記水処理槽内で前記被処理水を好気処理するための水処理用担体とは別に、前記被処理水が接触したときに、そのスケール成分を析出させて付着除去するスケール付着材を備え、前記スケール付着材に前記被処理水を接触させるスケール析出促進部を、前記水処理槽もしくは前記水処理槽の入口部側に設けた点にある。
【００２０】
〔作用効果４〕
上記構成によると、先のスケール析出防止方法を簡便に行える水処理設備が得られる。すなわち、前記水処理用担体とは別に、前記被処理水が接触したときに、そのスケール成分を析出させて付着除去するスケール付着材を備えることにより、被処理水中のスケールを積極的にスケール付着材に析出させることができる。すると、従来、前記水処理用担体に析出していたスケールは、前記スケール付着材上に優先的に析出するために、水処理用担体に接触する被処理水中のスケール成分を減少させる効果を発揮し、前記水処理用担体上に析出するスケールの量を減少させることができる。なお、このスケール付着材は、前記水処理槽もしくは前記水処理槽入口部側いずれであっても、水処理用担体に接触する被処理水中のスケール成分を減少させる効果を発揮し、前記水処理用担体に析出するスケール量を減少させるのに寄与する。
【００２１】
したがって、前記スケール付着材に前記被処理水を接触させるスケール析出促進処理を行うことにより、水処理用担体に析出するスケールを減少することができ、水処理槽内における水処理環境を大きく変えることなく、微生物が効率よく水処理できる環境を長期にわたって維持することができ、水質の浄化に寄与できるようになった。
【００２２】
〔構成５〕
なお、前記水処理設備に対してスケール付着材が挿脱可能に設けられていることが好ましい。
【００２３】
〔作用効果５〕
前記水処理設備に対してスケール付着材が挿脱可能に設けられていると、先に、スケール析出防止方法で述べたように、スケール付着材にスケールが付着したのを確認した時点で、スケール付着材を容易に交換除去できるとともに、新たにスケール付着材を容易に配設できるようになる。
【００２４】
〔構成６〕
また、前記水処理槽が、被処理水を受け入れる水処理槽本体を備え、
前記水処理槽本体内部に、水処理用担体およびスケール析出促進部を形成するスケール付着材を設けてあるとともに、前記水処理用担体および前記スケール析出促進部に曝気する曝気装置を設けてある。
【００２５】
〔作用効果６〕
曝気装置を設けて、前記水処理用担体および前記スケール析出促進部に曝気すると、前記水処理用担体では、被処理水に対して好気的な生物処理が行われるとともに、前記スケール析出促進部においても、表面が酸化雰囲気に維持されるので、スケールの析出が促進される。したがって、被処理水を効率的に生物処理して中性に近づけるとともに、スケール付着材にスケール成分の析出させやすい環境を整えることができ、水処理用担体に対するスケールの付着を抑制できるようになった。
【００２６】
〔構成７〕
また、前記水処理槽に前記水処理用担体を保持する保持部を複数設けるとともに、前記保持部どうしの間に前記スケール付着材を挿脱自在にするスケール付着材収容部を設けてあってもよい。
【００２７】
〔作用効果７〕
上記構成によると、水処理槽内にスケール付着材を挿脱容易に配設しやすく、かつ、水処理槽内の全領域で均等に、スケール付着材にスケールを付着させ、水処理用担体に対するスケール析出を抑制できる。
また、このようにスケール付着材を配置してあれば、スケール付着材は、水処理槽に流入する被処理水のみならず、水処理槽で生物処理された被処理水にも作用することになり、被処理水からのスケール成分除去を中性に近い条件下で行えるので、効率のよいスケール成分の除去に寄与すると考えられる。
【００２８】
〔構成８〕
また、前記水処理槽が、被処理水を受け入れる水処理槽本体を備え、前記水処理槽本体に被処理水を供給する供給路にスケール析出促進部を設けてあってもよい。
【００２９】
〔作用効果８〕
上記構成によると、前記スケール析出促進部が、水処理槽本体よりも上流側に配置されており、水処理槽に流入する被処理水からスケールを除去してスケールの析出を防止する効果を発揮するため、被処理水はスケール成分の除去された状態で生物処理されることになって、水処理槽内における生物処理効率を高く維持できるものと考えられる。また、スケール付着材に付着したスケール成分は、水処理槽よりも上流側でまとめて回収できるので、スケールの付着したスケール付着材の回収交換等の保守作業を容易に行える利点もある。
【００３０】
〔構成９〕
また、前記スケール付着材は、粒状、球状、板状、繊維状、布状、袋状のいずれかに成形できる。
【００３１】
〔作用効果９〕
スケール付着材の材質としては、金属、金属酸化物等、所定のゼータ電位に帯電可能な物質が用いられるが、このようなスケール付着材はどのような形であっても、スケール析出促進部に内装できる形態であれば好適に用いることができる。そして、粒状、球状、板状、繊維状、布状、袋状であれば、高い充填率でスケール析出促進部に内装することができ、被処理水との接触効率を高めることができるとともに、スケール析出促進部に対して挿脱容易な形態をとることができる。
【００３２】
〔構成１０〕
また、前記スケール付着材が、酸化アルミニウム、二酸化ケイ素、酸化鉄、酸化チタン、酸化亜鉛、酸化スズ、酸化クロム、酸化ニッケル、酸化コバルト、炭酸カルシウム、硫酸カルシウム、リン酸カルシウムから選ばれる少なくとも一種を主成分とすることができる。
【００３３】
〔作用効果１０〕
スケール付着材の材質として具体的には、酸化アルミニウム、二酸化ケイ素、酸化鉄、酸化チタン、酸化亜鉛、酸化スズ、酸化クロム、酸化ニッケル、酸化コバルト、炭酸カルシウム、硫酸カルシウム、リン酸カルシウムから選ばれる少なくとも一種を主成分とするものが用いられる。特に、酸化アルミニウムは、正に帯電しやすい特性を有し、負に帯電しやすいリン酸カルシウム等のスケール成分を除去するのに有効である。また、二酸化ケイ素は負に帯電しやすい特性を有し、正に帯電しやすい炭酸カルシウム等のスケール成分を除去するのに有効である。これら、酸化アルミニウム、二酸化ケイ素は、安価で整形容易な材料であるから、スケール析出促進部に対して挿脱容易な形態として適用しやすいという利点も備える。
【００３４】
なお、本願で「材料Ｘを主材とする」という場合、構成材料としての材料Ｘが主たる原料の一つとしていることをいい、必要に応じて添加剤を添加していてもよく、その材料のもつ特性が現れていれば、配合割合に特に制限はなく、材料Ｘ単独では、必ずしも、混合物中で最も多い材料である必要はなく、好ましくは５０％以上が材料Ｘから構成されることが好ましいが、それ以下であってもよい。
【００３５】
〔構成１１〕
特に好ましい形態として、前記スケール成分が、リン酸カルシウムを主成分とするものであり、前記スケール付着材が酸化アルミニウムである構成を採用できる。
【００３６】
〔作用効果１１〕
先述のように、酸化アルミニウムは、正に帯電しやすい特性を有し、負に帯電しやすいリン酸カルシウム等のスケール成分を除去するのに有効である。したがって、リン酸カルシウム等のスケールの発生しやすい被処理水の生物処理に際しては、スケール除去材として酸化アルミニウムを用いる構成が特に好ましいものとなる。
【００３７】
〔構成１２〕
前記スケール成分が、炭酸カルシウムを主成分とするものであり、前記スケール付着材が二酸化ケイ素である構成を採用できる。
【００３８】
〔作用効果１２〕
先述のように、二酸化ケイ素は、正に帯電しやすい特性を有し、負に帯電しやすい炭酸カルシウム等のスケール成分を除去するのに有効である。したがって、炭酸カルシウム等のスケールの発生しやすい被処理水の生物処理に際しては、スケール除去材として二酸化ケイ素を用いる構成が特に好ましいものとなる。
【発明の効果】
【００３９】
したがって、スケール析出促進部を設けただけの簡単な設備の追加構成により、水処理槽に析出するスケールを減少することができ、水処理槽内における水処理環境を大きく変えることなく、微生物が効率よく水処理できる環境を長期にわたって維持することができ、水質の浄化に寄与できるようになった。
【図面の簡単な説明】
【００４０】
【図１】本発明の水処理設備の概略図
【図２】別実施形態における水処理設備の概略図
【発明を実施するための形態】
【００４１】
以下に、本発明のスケール析出防止方法および水処理設備を説明する。なお、以下に好適な実施形態を記すが、これら実施形態はそれぞれ、本発明をより具体的に例示するために記載されたものであって、本発明の趣旨を逸脱しない範囲において種々変更が可能であり、本発明は、以下の記載に限定されるものではない。
【００４２】
〔水処理装置〕
本発明の水処理設備は、図１に示すように、スケール成分を含有する被処理水を生物処理する水処理槽１を備える。前記水処理槽１は、たとえば、石けん製造排水、化粧品製造排水、ゼラチン製造排水などの無機塩を多く含む排水等の有機排水を好気的に生物処理する接触曝気槽を構成する水処理槽本体１０からなる。前記水処理槽本体１０は、前記水処理槽１内に前記被処理水を好気処理するための水処理用担体２１を内装しているとともに、前記水処理用担体２１とは別に、前記被処理水が接触したときに、そのスケール成分を析出させて付着除去するスケール付着材３１を備えている。
【００４３】
前記スケール付着材３１は、前記水処理槽１内において、前記被処理水と接触自在に設けられ、スケール析出促進部３を構成する。前記スケール析出促進部３は、前記水処理槽１もしくは前記水処理槽１の入口部側に設けられるが、図１に示す構成においては、水処理槽１内に設けた構成が例示されている。
【００４４】
前記水処理槽１は、被処理水を受け入れる水処理槽本体１０を備え、水処理槽本体１０に被処理水を供給する供給路１１を接続して備えるとともに、処理済みの被処理水の上澄み部分を処理済み水として排水する排水路１２を接続して備える。前記水処理槽１内部には、前記水処理用担体２１を保持する保持部２を複数設けてあるとともに、前記保持部２内に好気性微生物を育成するための水処理用担体２１を充填収容してある。また、前記保持部２どうしの間に前記スケール付着材３１を挿脱自在にするスケール付着材収容部３０を設けてスケール析出促進部３を形成してある。前記水処理用担体２１を収容した保持部２および前記スケール析出促進部３を形成するスケール付着材収容部３０の下方には前記水処理用担体２１および前記スケール付着材３１に曝気する曝気装置４を設けてある。また、水処理槽本体１０下部には、水処理に伴って発生した汚泥を引き抜く汚泥引抜路１３を接続して設けてある。
【００４５】
前記保持部２および前記スケール付着材収容部３０は、前記水処理槽本体１０の下部に、メッシュ状の底板部材５を設けるとともに、その水処理槽本体１０内部の底板部材５の上方側を、平面視で前記保持部２と前記スケール付着材収容部３０とが交互に併設されるように仕切壁６で多数の区画に分割するとともに、水処理槽本体１０の上部側から前記仕切壁６間に水処理用担体２１もしくはスケール付着材３１を挿脱可能に構成してある。これにより、前記水処理用担体２１を収容した区画を保持部２とし、前記スケール付着材３１を挿脱可能に形成した区画をスケール析出促進部３を形成するためのスケール付着材収容部３０とする。
【００４６】
また、スケール付着材３１は、たとえば、酸化アルミニウムを主成分とする粉粒体を多数付着させてなる不織布からなり、ろ布状に形成されている。このスケール付着材３１は、上端部においてスケール付着材保持棹３２に掛架保持されており、スケール付着材保持棹３２を操作して前記スケール付着材３１をスケール付着材収容部３０内に挿脱容易に構成してある。一方、水処理用担体２１は、表面不活性な樹脂からなり、表面凹凸で中空の球状に成形したものなどが用いられる。
【００４７】
前記好気性微生物は、被処理水中の有機成分を好気的に分解して被処理水のｐＨを中性に近づける処理を行う。
【００４８】
前記曝気装置４は、前記底板部材５の下方に横架保持された散気管４１を備えるとともに、前記散気管４１にエア供給する給気装置４２を接続して構成される。前記給気装置４２から供給された空気は、散気管４１に設けられた多数の孔部４１ａより水処理槽１下部に放出される。放出された空気は、微細気泡となって、前記底板部材５の全面から、前記保持部２およびスケール付着材収容部３０を通って水面に達する経路で、水処理用担体２１やスケール付着材３１に供給される。
【００４９】
〔スケール析出防止方法〕
前記スケール析出促進部３にスケール付着材３１を収容した状態で、前記曝気装置４にエア供給すると、気泡が前記水処理用担体２１やスケール付着材３１に供給される。この気泡は、前記水処理用担体２１に付着育成される微生物に酸素を与えるとともに、前記スケール付着材３１を酸化雰囲気に維持する。
【００５０】
前記スケール付着材３１は、前記被処理水が接触したときに、そのスケール成分を析出させて付着除去するから、前記被処理水中に含まれるスケール成分は、スケール付着材３１に優先して付着し、前記水処理用担体２１にはあまり付着しなくなる。これにより、前記水処理用担体２１にスケールが付着するのを防止できる。
【００５１】
〔別実施形態〕
（１）
上記実施形態では水処理槽内にスケール付着材３１を収容するスケール付着材収容部３０を設けてスケール析出促進部３としたが、図２に示すように、前記水処理槽本体１０に被処理水を供給する供給路１１にスケール析出促進部３を設けることもできる。
【００５２】
すなわち、前記供給路１１にスケール付着材３１を収容するスケール付着材収容部３０を設けてスケール析出促進部３とし、前記供給路１１に供給される被処理水が、前記スケール付着材３１に接触してから前記水処理槽１内に流入する形態とすることができる。
【００５３】
（２）
上記実施形態では、前記スケール成分が、リン酸カルシウムを主成分とするものであり、前記スケール付着材３１が酸化アルミニウムである構成を例に示したが、被処理水の組成に応じて用いるスケール付着材３１の材質を適宜選択するものとする。
たとえば、前記スケール成分が、炭酸カルシウムを主成分とするものであり、前記スケール付着材３１が二酸化ケイ素である構成とすることもできる。このように、被処理水が、正負いずれに帯電するスケールを生成するかに基づき、前記スケール付着材として、被処理水中に生成するスケール成分と逆の電荷に帯電する物質を主材とするものを選択できる。
【００５４】
（３）
上記実施形態において、前記スケール付着材３１は、水処理用担体２１の保持部２間に形成されたスケール付着材収容部３０に挿脱容易なろ布状に形成したが、スケール付着材３１の配置の形態によっては、水処理用担体２１と同形状の球状に形成して水処理用担体２１とともに保持部２内に収容する形態や、保持部２の周壁や仕切壁６を構成する板状体とする形態であってもよく、他にも、粒状、繊維状、袋状に成形することも可能である。
【産業上の利用可能性】
【００５５】
水処理槽に析出するスケールを減少することができ、水処理槽内における水処理環境を大きく変えることなく、微生物が効率よく水処理できる環境を長期にわたって維持することができ、たとえば石けん製造排水を好気的に分解処理する水処理設備として用いることができる。
【符号の説明】
【００５６】
１        ：水処理槽
１０      ：水処理槽本体
１１      ：供給路
１２      ：排水路
１３      ：汚泥引抜路
２        ：保持部
２１      ：水処理用担体
３        ：スケール析出促進部
３０      ：スケール付着材収容部
３１      ：スケール付着材
３２      ：スケール付着材保持棹
４        ：曝気装置
４１      ：散気管
４１ａ    ：孔部
４２      ：給気装置
５        ：底板部材
６        ：仕切壁
【図１】
2014140820.tif 000003
【図２】
2014140820.tif 000004